(57)【要約】【課題】編集すべき映像情報のタイトル内の部分領域についてその境界位置を非常に容易に再設定することができる映像情報処理装置及び方法を提供する。【解決手段】入力された映像信号を、実映像信号とこの実映像信号の１又は複数の部分領域（チャプタ）の再生順序情報として記録し、その後、この部分領域を登録して再生順序情報を作成する際に、部分領域の開始位置又は終了位置を再度設定する開始終了位置再設定部を有する映像情報処理装置であり、部分領域の開始終了位置の再設定を非常に容易に行うことができる。【選択図】    図１
2004208172.tif 000002
【特許請求の範囲】
【請求項１】
入力された映像信号を、実映像信号と前記実映像信号の１又は複数の部分領域の再生順序情報として記録する記録手段と、
前記記録手段で記録されている前記部分領域の開始位置又は終了位置を再度設定する再設定手段と、を具備することを特徴とする映像情報処理装置。
【請求項２】
前記記録手段が記録する１又は複数の部分領域、又は新たに設けられた部分領域に関して、これらの再生順序を示す第２再生順序情報を生成する生成手段を更に有しており、
前記再設定手段は、前記第１又は第２再生順序情報が対象とする前記１又は複数の部分領域に関して、その開始位置又は終了位置を再設定することを特徴とする請求項１記載の映像情報処理装置。
【請求項３】
前記第１又は第２再生順序情報が対象とする各々の前記部分領域、又は、前記第１又は第２再生順序情報、又は、その他の再生順序情報や部分領域に関して、これらの再生順序を示す第３再生順序情報を生成する第２生成手段を更に有しており、
前記再設定手段は、前記第１乃至第３再生順序情報が対象とする複数の前記部分領域に関して、その開始位置又は終了位置を再設定することを特徴とする請求項２記載の映像情報処理装置。
【請求項４】
前記再生順序情報が対象とする前記部分領域の開始位置及び終了位置には、前記実映像信号との対応関係を示す参照情報（セル）の境界又は前記参照情報中に設定されるエントリ位置情報（ＥＰ）の少なくとも一方が存在し、前記再設定手段は、前記参照情報（セル）の境界又は前記エントリ位置情報（ＥＰ）の少なくとも一方を再設定することを特徴とする請求項１乃至３の中の１つに記載された映像情報処理装置。
【請求項５】
前記再設定手段は、前記参照情報（セル）の境界又は前記エントリ位置情報（ＥＰ）の少なくとも一方を、前記映像信号の画面単位でシフトするように再設定することを特徴とする請求項４に記載の映像情報処理装置。
【請求項６】
前記再設定手段は、前記参照情報（セル）の境界又は前記エントリ位置情報（ＥＰ）の少なくとも一方を、前記映像信号の実体の単位領域の境界（ＧＯＰ）毎にシフトするように再設定することを特徴とする請求項４に記載の映像情報処理装置。
【請求項７】
前記再設定手段の再設定処理の操作は、メニュ画面から又は操作用装置のスイッチ操作により行われ、前記部分領域の開始位置又は終了位置を画面単位で行うことを特徴とする請求項１乃至３の中の１つに記載の映像情報処理装置。
【請求項８】
入力された映像信号を、実映像信号と前記実映像信号の１又は複数の部分領域の再生順序情報として記録し、
前記記録されている前記部分領域の開始位置又は終了位置を再度設定することを特徴とする映像情報処理方法。
【請求項９】
前記記録された１又は複数の部分領域、又は新たに設けられた部分領域に関して、これらの再生順序を示す第２再生順序情報を更に生成し、
前記第１又は第２再生順序情報が対象とする前記１又は複数の部分領域に関して、その開始位置又は終了位置を再設定することを特徴とする請求項８記載の映像情報処理方法。
【請求項１０】
前記第１又は第２再生順序情報が対象とする各々の前記部分領域、又は、前記第１又は第２再生順序情報、又は、その他の再生順序情報や部分領域に関して、これらの再生順序を示す第３再生順序情報を更に生成し、
前記第１乃至第３再生順序情報が対象とする複数の前記部分領域に関して、その開始位置又は終了位置を再設定することを特徴とする請求項９記載の映像情報処理方法。
【請求項１１】
前記再生順序情報が対象とする前記部分領域の開始位置及び終了位置には、前記実映像信号との対応関係を示す参照情報（セル）の境界又は前記参照情報中に設定されるエントリ位置情報（ＥＰ）の少なくとも一方が存在し、前記参照情報（セル）の境界又は前記エントリ位置情報（ＥＰ）の少なくとも一方を再設定することを特徴とする請求項８乃至１０の中の１つに記載された映像情報処理方法。
【請求項１２】
前記参照情報（セル）の境界又は前記エントリ位置情報（ＥＰ）の少なくとも一方を、前記映像信号の画面単位でシフトするように再設定することを特徴とする請求項１１に記載の映像情報処理方法。
【請求項１３】
前記参照情報（セル）の境界又は前記エントリ位置情報（ＥＰ）の少なくとも一方を、前記映像信号の実体の単位領域の境界（ＧＯＰ）毎にシフトするように再設定することを特徴とする請求項１１記載の映像情報処理方法。
【請求項１４】
前記再設定手段の再設定処理の操作は、メニュ画面から又は操作用装置のスイッチ操作により行われ、前記部分領域の開始位置又は終了位置を画面単位で行うことを特徴とする請求項８乃至１０の中の１つに記載された映像情報処理方法。
【発明の詳細な説明】
【０００１】
【発明の属する技術分野】
この発明は、動画編集を行う映像情報処理装置に関し、特に、映像情報のタイトルを構成する部分領域の開始・終了位置の再設定処理を行う映像情報処理装置及び映像情報処理方法に関する。
【０００２】
【従来の技術】
最近、記録可能なＤＶＤ（Digital Versatile Disk）を使用したＤＶＤビデオレコーダが実用化されている。又、ＨＤＤ（Hard Disk Driver）を使用したＨＤＤビデオレコーダも開発されている。更には、着脱可能なリムーバブルメディアであるＤＶＤと、大容量のＨＤＤの双方を併せ持ったハイブリッドレコーダも登場している。
【０００３】
従来の、磁気テープを使用したビデオテープレコーダでは、録画したコンテンツの編集作業、例えば、不要なシーンの削除や必要なシーンの抽出といった操作を行うには、複数台のビデオテープレコーダや編集のための装置などが必要であった。これは、テープの走行方向に一直線に記録するという、テープメディアの特性に起因する。
【０００４】
一方、ＤＶＤやＨＤＤなどのディスクメディアは、ランダムアクセス性に優れているという特長を持っている。そのため、これらディスクメディアを使用したビデオレコーダでは、特殊な編集装置を使用することなく、録画したコンテンツの編集機能をビデオレコーダ本体に内蔵することが可能である。具体的には、録画したコンテンツの中の一部分を指し示す部分参照情報を束ねた、プレイリスト編集と呼ばれるものが一般的である。
【０００５】
録画されたコンテンツは、オーディオデータやビデオデータそのものを持つオリジナルタイトルと、固有のオーディオ・ビデオデータは持たず、他のオリジナルタイトルのオーディオ・ビデオデータに対する再生順序情報のみで構成されているプレイリストタイトルの２種類に分類される。
【０００６】
このプレイリストの作成手順は、概略として次の手順を踏んでいる。まず、オリジナルタイトルや又は既に作成済みの他のプレイリストタイトルなどの元データの中で、ユーザが任意に開始／終了位置を指定した部分領域を設定する。次に、作成した部分領域の範囲に相当する部分参照情報を束ねた再生順序情報を構成する。この再生順序情報が、すなわちプレイリストタイトルとなる。
【０００７】
このようなプレイリストを用いる従来技術として、エンドレス記録が可能なデジタル記録再生装置が知られている（例えば、特許文献１参照）。このようなデジタル記録再生装置においては、プレイリストを活用することで、ユーザが希望する映像情報を所望の順番で再生するべく編集処理することができる。
【０００８】
【特許文献１】
特開２００１−１６７５０７号公報。
【０００９】
【発明が解決しようとする課題】
しかしながら、上記の従来技術においては、映像情報の編集処理の際に、元のタイトル内の既に設定された部分領域（チャプタ）を利用して、新たなタイトルを起こすべく再生順序情報であるプレイリストを作成する場合、利用する部分領域の開始位置や終了位置が必ずしも最適ではない場合がある。すなわち、利用する部分領域は元となるタイトルの編集画面で既に任意に設定されており、この位置が、現在のユーザにとって必ずしもベストであるとは限らない。例えば、その部分領域（チャプタ）の範囲内に含まれる映像や音声が頭切れ／尻切れを生じていたり、又はその部分領域（チャプタ）の先頭や終端に余計な画面が含まれている場合もある。これは、元タイトルの編集画面の段階で部分領域を設定する段階であれば、開始／終了位置を再度設定するということも可能であるが、一旦プレイリストに登録してしまった後では、その開始／終了位置を調整することができないという問題がある。
本発明はこれに鑑み、編集すべき映像情報のタイトル内の部分領域についてその境界位置を非常に容易に再設定することができる映像情報処理装置及び映像情報処理方法を提供することを目的とする。
【００１０】
【課題を解決するための手段】
本発明は上記課題を解決するべく、入力された映像信号を、実映像信号と前記実映像信号の１又は複数の部分領域の再生順序情報として記録する記録手段と、前記記録手段で記録されている前記部分領域の開始位置又は終了位置を再度設定する再設定手段とを具備することを特徴とする映像情報処理装置である。
【００１１】
本発明に係る映像情報処理装置においては、映像信号を録画した際の再生順序情報（プレイリスト）内の部分情報（チャプタ）について、これを後の編集処理の際に登録し利用する場合、その部分領域（チャプタ）の範囲内に含まれる映像や音声が頭切れ／尻切れを生じていたり、又はその部分領域（チャプタ）の先頭や終端に余計な画面が含まれている場合もある。これは、従来装置においては、元タイトルの編集画面で部分領域を設定する段階ではないので、調整することができないのだが、本発明によれば、この部分領域（チャプタ）を後の編集画面においても、後述するように、セルの境界領域をシフトしたりセル中のエントリポイント（ＥＰ）をシフトすることにより、適宜再設定することができる。
【００１２】
【発明の実施の形態】
以下、図面を参照してこの発明の実施形態である映像情報処理装置の一例を説明する。
【００１３】
＜本発明に係る映像情報処理装置＞
（構成）
初めに本発明に係る映像情報処理装置の一例の構成を説明する。図１は、本発明に係る映像情報処理装置の一例を示すブロック図である。この実施形態では、記録媒体としてＤＶＤ−ＲＡＭとハードディスクの双方を取り扱うことができる装置として示しているが、ハードディスク又はＤＶＤ−ＲＡＭは、例えば、半導体メモリによる記録媒体などに置換されてもよい。
【００１４】
図１の各ブロックを大きく分けると、左側には記録部の主なブロックを示し，右側には再生部の主なブロックを示している。
【００１５】
図１の映像情報処理装置は、２種類のディスクドライブ部を有する。まず、ビデオファイルを構築できる情報記録媒体である第１のメディアとしての光ディスクＤを回転駆動し、情報の読み書きを実行するディスクドライブ部２３を有する。又、第２のメディアとしてのハードディスクを駆動するハードディスクドライブ部２１を有する。データプロセッサ部２２は、ディスクドライブ部２３及びハードディスクドライブ部２１に記録データを供給することができ、又、再生された信号を受け取ることができる。ディスクドライブ部２３は、光ディスクＤに対する回転制御系、レーザ駆動系、光学系などを有する。
【００１６】
データプロセッサ部２２は、記録、又は、再生単位のデータを取り扱うもので、バッファ回路、変調・復調回路、エラー訂正部などを含む。
【００１７】
又、図１の映像情報処理装置は、録画側を構成するエンコーダ部５０と、再生側を構成するデコーダ部６０と、装置本体の動作を制御するマイクロコンピュータブロック３０とを主たる構成要素としている。
【００１８】
エンコーダ部５０は、入力されたアナログビデオ信号やアナログオーディオ信号をデジタル化するビデオ用及びオーディオ用のアナログデジタルコンバータと、ビデオエンコーダと、オーディオエンコーダとを有する。更に、副映像エンコーダも含む。
【００１９】
エンコーダ部５０の出力は、バッファメモリを含むフォーマッタ５１にて所定のＤＶＤ−ＲＡＭのフォーマットに変換され、先のデータプロセッサ部２２に供給される。
【００２０】
エンコーダ部５０には、ＡＶ入力部４０からの外部アナログビデオ信号と外部アナログオーディオ信号、又はＴＶチューナ４２からのアナログビデオ信号とアナログオーディオ信号が入力される。
【００２１】
なお、エンコーダ部５０は、直接圧縮されたデジタルビデオ信号やデジタルオーディオ信号が直接入力されるときは、圧縮デジタルビデオ信号やデジタルオーディオ信号を直接フォーマッタ５１に供給することもできる。又、エンコーダ部５０は、アナログデジタル変換されたデジタルビデオ信号やオーディオ信号を、ビデオミキシング部７１やオーディオセレクタ７６に直接供給することもできる。
【００２２】
エンコーダ部５０に含まれるビデオエンコーダでは、デジタルビデオ信号はＭＰＥＧ２、又は、ＭＰＥＧ１規格に基づいた可変ビットレートで圧縮されたデジタルビデオ信号に変換される。デジタルオーディオ信号は、ＭＰＥＧ、又は、ＡＣ−３規格に基づいて固定ビットレートで圧縮されたデジタルオーディオ信号、又はリニアＰＣＭのデジタルオーディオ信号に変換される。
【００２３】
副映像信号がＡＶ入力部４０から入力された場合（例えば、副映像信号の独立出力端子付ＤＶＤビデオプレーヤからの信号など）、又はこのようなデータ構成のＤＶＤビデオ信号が放送されてそれがＴＶチューナ４２で受信された場合は、ＤＶＤビデオ信号中の副映像信号が副映像エンコーダでエンコード（ランレングス符号化）されて副映像のビットマップとなる。
【００２４】
エンコードされたデジタルビデオ信号、デジタルオーディオ信号、副映像データは、フォーマッタ５１にてパック化され、ビデオパック、オーディオパック、副映像パックとなり、更にこれらが集合されてＤＶＤ−レコーディング規格（例えば、ＤＶＤ−ＲＡＭ、ＤＶＤ−Ｒ、ＤＶＤ−ＲＷなどに記録する規格）で規定されたフォーマットに変換される。
【００２５】
ここで図１の装置は、フォーマッタ５１でフォーマット化された情報（ビデオ、オーディオ、副映像データなどのパック）及び作成された管理情報を、データプロセッサ部２２を介してハードディスクドライブ部２１又はデータディスクドライブ部２３に供給し、ハードディスク又は光ディスクＤに記録することができる。又、ハードディスク又は光ディスクＤに記録された情報を、データプロセッサ部２２、ディスクドライブ部２３を介して光ディスクＤ又はハードディスクに記録することもできる。
【００２６】
又、ハードディスク又は光ディスクＤに記録されている複数番組のビデオオブジェクトを、一部削除したり、異なる番組のオブジェクトをつなげたり、といった編集処理を行うこともできる。これは、本発明にかかるフォーマットが取り扱うデータ単位を定義し、編集を容易にしているからである。
【００２７】
マイクロコンピュータブロック３０は、ＭＰＵ（マイクロプロセッシングユニット）、又は、ＣＰＵ（セントラルプロセッシングユニット）と、制御プログラム等が書きこまれたＲＯＭと、プログラム実行に必要なワークエリアを提供するためのＲＡＭ３１とを含んでおり、代表的な機能としてのディレクトリ検知部３３と、本発明の特徴となるチャプタ開始終了位置再設定部を含む編集時の管理情報制御部３４と、録画時の管理情報制御部３５とを含んでいる。
【００２８】
マイクロコンピュータブロック３０のＭＰＵは、そのＲＯＭに格納された制御プログラムに従い、ＲＡＭ３１をワークエリアとして用いて、欠陥場所検出、未記録領域検出、録画情報記録位置設定、ＵＤＦ記録、ＡＶアドレス設定などを実行する。
【００２９】
又、マイクロコンピュータブロック３０は、システム全体を制御するために必要な情報処理部を有するもので、上述したワークＲＡＭ３１、ディレクトリ検出部３３、編集時及び録画時の管理情報制御部３４，３５の他に、ＶＭＧ（全体のビデオ管理情報）情報作成部、コピー関連情報検知部、コピー及びスクランブリング情報処理部（ＲＤＩ処理部）、パケットヘッダ処理部、シーケンスヘッダ処理部、アスペクト比情報処理部などを備える。
【００３０】
ＭＰＵの実行結果のうち、ユーザに通知すべき内容は、映像情報処理装置の表示部４３に表示されるか、又は、モニターディスプレイにＯＳＤ（オンスクリーンディスプレイ）表示される。又、マイクロコンピュータブロック３０は、この装置を操作するための操作信号を与えるキー入力部４４を有する。
【００３１】
なお、マイクロコンピュータブロック３０が、ディスクドライブ部２３、ハードディスクドライブ部２１、データプロセッサ部２２、エンコーダ部５０及び／又は、デコーダ部６０などを制御するタイミングは、ＳＴＣ（システムタイムクロック）３８からの時間データに基づいて実行することができる。録画や再生の動作は、通常はＳＴＣ３８からのタイムクロックに同期して実行されるが、それ以外の処理はＳＴＣ３８とは独立したタイミングで実行されてもよい。
【００３２】
デコーダ部６０は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするＶデコーダと、セパレータで分離された副映像データ（副映像パックの内容）をデコードするＳＰデコーダと、セパレータで分離されたオーディオデータ（オーディオパックの内容）をデコードするＡデコーダとを有する。又、デコードされた主映像にデコードされた副映像を適宜合成し、主映像にメニュー、ハイライトボタン、字幕やその他の副映像を重ねて出力するビデオプロセッサを備えている。
【００３３】
デコーダ部６０の出力ビデオ信号は、ビデオミキシング部７１に入力される。ビデオミキシング部７１では、テキストデータの合成が行われる。又、ビデオミキシング部７１には、ＴＶチューナ４２やＡ／Ｖ入力部４０からの信号を直接取り込むラインも又、接続されている。ビデオミキシング部７１には、バッファとして用いるフレームメモリ７２が接続されている。ビデオミキシング部７１の出力がアナログ出力の場合はＩ／Ｆ（インタフェース）７３を介して外部出力され、デジタル出力の場合はデジタルアナログ変換器７４を介して外部へ出力される。
【００３４】
デコーダ部６０の出力オーディオ信号は、セレクタ７６を介してデジタルアナログ変換器７７でアナログ変換され外部に出力される。セレクタ７６は、マイクロコンピュータブロック３０からのセレクト信号により制御される。これによりセレクタ７６は、ＴＶチューナ４２やＡ／Ｖ入力部４０からのデジタル信号を直接モニタする時、エンコーダ部５０をスルーした信号を直接選択することも可能である。
【００３５】
なお、エンコーダ部５０のフォーマッタでは、録画中、各切り分け情報を作成し、定期的にマイクロコンピュータブロック３０のＭＰＵへ送る（ＧＯＰ先頭割り込み時などの情報）。切り分け情報としては、ＶＯＢＵのパック数、ＶＯＢＵ先頭からのIピクチャのエンドアドレス、ＶＯＢＵの再生時間などである。
【００３６】
同時に、アスペクト情報処理部からの情報を録画開始時にＭＰＵへ送り、ＭＰＵはＶＯＢストリーム情報（ＳＴＩ）を作成する。ここでＳＴＩは、解像度データ、アスペクトデータなどを保存し、再生時、各デコーダ部ではこの情報を元に初期設定が行われる。
【００３７】
又、本装置では、ビデオファイルは１ディスクに１ファイルとしている。又、データをアクセス（シーク）している間に、途切れないで再生を続けるために、最低限連続する情報単位（サイズ）を決めている。この単位をＣＤＡ（コンティギュアス・データ・エリア）という。ＣＤＡサイズは、ＥＣＣ（エラー訂正コード）ブロック（１６セクタ）の倍数であり、ファイルシステムではこのＣＤＡ単位で記録を行っている。
【００３８】
データプロセッサ部２２は、エンコーダ部５０のフォーマッタからＶＯＢＵ単位のデータを受け取り、ＣＤＡ単位のデータをディスクドライブ部２３又はハードディスクドライブ部２１に供給している。又、マイクロコンピュータブロック３０のＭＰＵは、記録したデータを再生するのに必要な管理情報を作成し、データ記録終了のコマンドを認識すると、作成した管理情報をデータプロセッサ部２２に送る。これにより、管理情報がディスクに記録される。従って、エンコードが行われているとき、エンコーダ部５０からマイクロコンピュータブロック３０のＭＰＵは、データ単位の情報（切り分け情報など）を受け取る。又、マイクロコンピュータブロック３０のＭＰＵは、記録開始時には光ディスク及びハードディスクから読み取った管理情報（ファイルシステム）を認識し、各ディスクの未記録エリアを認識し、データ上の記録エリアをデータプロセッサ部２２を介してディスクに設定している。
【００３９】
（編集処理の概要）
次に、図２及び図３を使用して、管理情報と、コンテンツである実映像データとの関係を簡単に説明する。図２及び図３は、本発明に係る映像情報処理装置の管理情報と実映像データとの関係を示す概略図である。
【００４０】
図２において、まず実映像データ８０について説明する。ここでは実映像データ８０は記録メディア上で１つのファイルにまとめられているとする。１つのファイルは、１つ又は複数の実映像データストリーム８１で構成されている。１つ１つの実映像データストリーム８１は、例えば、１回の録画処理により記録される単位であったりする。これは、例えば、ＤＶＤレコーディング規格におけるＶＯＢ（ビデオオブジェクト）などに相当する。１つの実映像データストリーム８１は、１つ又は複数のストリーム部分領域８２で構成される。これは、例えば、ＤＶＤレコーディング規格におけるＶＯＢＵ（ビデオオブジェクトユニット）や、ＭＰＥＧ２規格におけるＧＯＰ（グループオブピクチャ）などに相当する。１つのストリーム部分領域８２は、複数パックから構成される。複数のパックとしては、情報パック８３、映像パック８４、音声パック８５などが存在する。更に、副映像パック８６が存在してもよい。
【００４１】
情報パック８３は、例えば、ＤＶＤレコーディング規格におけるＲＤＩパックなどに相当する。その場合、このパックには、これが属するＶＯＢＵの最初のフィールドが再生される開始時間を示す情報、当該ＶＯＢＵの記録時を示す情報、製造者情報（ＭＮＦＩ）などを含む。又、ディスプレイ制御情報（ＤＣＩ）及びコピーコントロール情報（ＣＣＩ）を含む。ディスプレイ制御情報は、アスペクト比情報、サブタイトルモード情報、フィルムカメラモード情報を示す。コピーコントロール情報は、コピー許可情報、又は、コピー禁止（非許可）情報を含む。
【００４２】
映像パック８４はビデオデータがＭＰＥＧ２の方式で圧縮されたもので、パックヘッダ、パケットヘッダ、ビデオデータ部で構成される。
【００４３】
音声パック８５はオーディオデータが、例えば、リニアＰＣＭ又はＭＰＥＧ、又はＡＣ−３などの方式で処理されたものであり、パックヘッダ、パケットヘッダ、オーディオデータ部で構成される。
【００４４】
次に、管理情報９０について説明する。
【００４５】
管理情報９０の中に、実映像データ８０の再生順序を管理する情報（再生順序情報）であるオリジナルタイトル（プログラム）情報Ｔ１が定義されている。これは、例えば、ＤＶＤレコーディング規格におけるプログラム９３−１〜ｎなどに相当する。個々のオリジナルタイトル情報（又は、プログラム情報）９３−１〜ｎの中には参照情報９４−１〜ｎが定義されており、これは再生すべき対象となる実映像データ８０に関する情報である実映像データ情報９１とリンクしている。これらは、例えば、ＤＶＤレコーディング規格におけるセルとビデオオブジェクト情報（ＶＯＢI）などに相当する。
【００４６】
このようにオリジナルタイトル情報Ｔ１（プログラム９３−１〜ｎ）はそれ自身の実映像データ８０を持ち、通常、録画時にはこのタイトルが作成される。
【００４７】
これに対し、再生順序を管理する情報（再生順序情報）のみで構成されているものもある。これがプレイリスト情報Ｔ２であり、例えば、ＤＶＤレコーディング規格におけるプレイリストなどがこれに相当する。このプレイリスト情報Ｔ２はそれ自身の実映像データ８０を持たず、図２に示すように、オリジナルタイトル情報Ｔ１の実映像データ情報９１に対してリンクしている参照情報９４−１〜ｎを編集（削除、追加）することでプレイリストとして作成される。
【００４８】
実映像データ情報９１内にはタイムマップ情報９２が記述されている。このタイムマップ情報９２は、実映像データ情報９１に対応する実映像データストリーム８１を構成している部分領域８２を指定する。管理情報９０のオリジナルタイトル情報Ｔ１の参照情報９４−１〜ｎ又はプレイリスト情報Ｔ２の参照情報９５−１〜ｎから実映像データ情報９１へのリンクは、論理アドレスで特定されている。又、タイムマップ情報９２から実映像データストリーム８１及びその部分領域８２へのリンクは、実映像データストリーム８１の番号、そのストリーム内の部分領域８２の数、個々の部分領域８２に対するエントリー番号、個々の部分領域８２への論理アドレスに基づいて行われている。このような構成により、録画された映像データの通常の再生のみならず、倍速／スロー再生や逆再生のような特殊再生、更にはシーンのサーチなどに対応することができる。
【００４９】
更に、図３は、図２の管理情報と実映像データとの関係を示す概略図にプレイリスト情報Ｔ３を更に加えたものである。これは、第1の再生順序情報を示すオリジナルタイトル情報Ｔ１と、これに基づく編集処理の後の（第２の再生順序情報を示す）プレイリスト情報Ｔ２に加えて、更に編集を行った場合の（第３の再生順序情報を示す）プレイリスト情報Ｔ３が示されている。このプレイリスト情報Ｔ３は、プレイリスト情報Ｔ２と同様に、それ自身の実映像データ８０を持たず、図３に示すようにオリジナルタイトル情報Ｔ１の実映像データ情報９１に対してリンクしている参照情報９４−１〜ｎやオリジナルタイトル情報Ｔ２の参照情報９５−１〜ｎや、その他の参照情報を編集（削除、追加）することでプレイリストとして作成される（ただし図３では、図面が煩雑になるため、プレイリストタイトル情報Ｔ３の参照情報９６−１〜ｎから実映像データ情報９１へのリンクの状態は、省略している）。
【００５０】
（編集処理の詳細）
次に、このような概要をもつ編集処理の詳細を図４乃至図１０のフローチャートを用いて詳細に説明する。なお、この際の説明においては、本発明の映像情報処理装置は、次のような構成を取る場合を例に説明している。
すなわち、まず、本発明の映像情報処理装置は、ＤＶＤ録画規格（ＤＶＤ−ＶＲ規格）に基づいたＤＶＤ録画機であるとする。又、ＤＶＤとＨＤＤの２つの録画メディアを有するハイブリッド録画機であるとし、ＤＶＤとＨＤＤ相互間での映像データのダビングが可能であるとする。又、ＤＶＤへの録画は、ＤＶＤ−ＶＲ規格に基づきＤＶＤ−ＲＡＭなどへ録画する機能を有するほかに、ＤＶＤビデオ規格（ＤＶＤ−Ｖｉｄｅｏ規格）に基づいてＤＶＤ−Ｒに録画する機能をも有するものとする。ここで、上述した第1再生順序情報に応じる第１のタイトルはＤＶＤ−ＶＲ規格のプログラム９３−１〜ｎであるとし、第２のタイトルおよび第３のタイトルはＤＶＤ−ＶＲ規格のプレイリストであるとする。つまり、上述の第1再生順序情報はＤＶＤ−ＶＲ規格のプログラム情報（ＰＧＩ）に、第２再生順序情報及び第３再生順序情報は、ユーザーデファインドプログラムチェーン情報（ＵＤ＿ＰＧＣＩ）に相当し、参照情報９４−１〜ｎ及び９５−１〜ｎ及び９６−１〜ｎはＤＶＤ−ＶＲ規格のセルに相当する。
【００５１】
次に、上述した再生順序情報の中に設定した部分領域を、ここではチャプタと呼ぶこととする。つまり、上述した部分領域の開始位置、又は、終了位置の再設定とは、ここではチャプタ境界の移動に相当する。このチャプタの境界を示す位置には、マーキング情報として、ＤＶＤ−ＶＲ規格のエントリーポイントを打つこととする。ただし、タイトル中の１番目のチャプタについては、タイトルの始点位置から開始することが自明であるため、チャプタ１番の前方境界位置すなわちタイトルの先頭位置には、エントリーポイントが存在してもよいし、存在しなくでもよい。
【００５２】
次に、図４乃至図１０のフローチャートを用いて本発明に係る編集動作を詳細に説明する。
【００５３】
図４は、本発明による動作全体の処理を示すフローチャートである。
【００５４】
まず、ステップＳ１１において、ユーザの操作に基づき、本発明の動作に必要な各種のパラメータを確定する。ここでは、次に述べるパラメータが必要となる。対象タイトルは、処理の対象となるタイトルの種別（オリジナルタイトル情報Ｔ１か、プレイリストＴ２，Ｔ３か）と、そのタイトルの番号を指定する。対象チャプタは、そのタイトル内で、処理の対象となるチャプタの番号を指定する。前方／後方チャプタ境界は、上記指定されたチャプタのチャプタ境界のうち、前方境界と後方境界のいずれを処理対象とするかを指定する。前方移動／後方移動は、上記指定されたチャプタ境界を、前方（時間軸上で過去方向）、又は、後方（時間軸上で未来方向）のいずれの方向に移動させるかを指定する。１フレーム分／ＶＯＢＵ境界へ移動は、移動方法の種別を指定する。１フレーム分移動は、選択したチャプタ境界を、１フレーム単位で前後に移動するものである。ＶＯＢＵ境界移動は、選択したチャプタ境界を、前後の直近のＶＯＢＵ（ＤＶＤ−ＶＲ規格におけるビデオオブジェクトユニット）の境界位置に移動するものである。後者については、次のような利点がある。ＨＤＤに録画した映像コンテンツをダビングしてＤＶＤ−Ｒに記録する場合、映像音声データを、ＤＶＤ−ＶＲ規格からＤＶＤ−Ｖｉｄｅｏ規格にフォーマット変換する必要があるが、その際、ＤＶＤ−Ｖｉｄｅｏ規格の制限により、チャプタの境界はＭＰＥＧ−２のグループオブピクチャ（ＧＯＰ）の境界にセットしなくてはならない。しかしながら、ＨＤＤ上ではユーザは任意の位置にチャプタ境界を設定できるため、このようなタイトルをＤＶＤ−Ｒにダビング記録した場合、ユーザが設定した位置とは微妙にチャプタ境界がずれることがある。ＤＶＤ−ＶＲ規格の規定により、少なくとも１つ以上のＧＯＰが束ねられてＶＯＢＵに納められているため、ＶＯＢＵの境界はＧＯＰの境界と一致している。そのため、このＶＯＢＵ境界移動を使用すれば、上記チャプタ境界のずれ方を前もって認識することができるという利点がある。
【００５５】
ステップＳ１２では、上記ステップＳ１１で確定したパラメータに基づき、タイトルの再生順序情報（ＰＧＩ、又は、ＰＧＣＩ）の中で実際に変更対象とするものを確定する。つまり、セルの境界のみを変更するのか、エントリーポイントの移動のみを行うのか、又はセル境界とエントリーポイントの双方を操作するのかをここで確定する。
【００５６】
ステップＳ１３は、上記ステップＳ１１で確定したチャプタ境界の移動方法の選択結果に基づき、チャプタの境界を１フレーム分移動するのか、又は直近のＶＯＢＵ境界に移動するのかを分岐する。
【００５７】
ステップＳ１３の結果、１フレーム分の移動が選択された場合は、ステップＳ１４へ分岐して、１フレーム単位でのチャプタ境界の移動処理を行う。この処理の詳細については、図５及び図６のフローチャートを使用して後述することとする。
【００５８】
又、ステップＳ１３の結果、直近のＶＯＢＵ境界への移動が選択された場合には、ステップＳ１５へ分岐して、ＶＯＢＵ境界位置へのチャプタ境界の移動処理を行う。この処理の詳細については、図７及び図８のフローチャートを使用して後述することとする。
【００５９】
上記ステップＳ１４又はステップＳ１５の中には、後述するようにチャプタ境界の移動処理を実施できるか否かの判定処理を含んでいる。ステップＳ１６は、上記ステップＳ１４又はステップＳ１５よりチャプタ境界の移動を拒絶する内容のリターンコードが返ってきた場合には、以降の処理をスキップする方向に分岐して処理を終了とする。又、上記ステップＳ１４又はステップＳ１５より拒絶のリターンコードが返らない場合には、チャプタ境界の移動処理が正常に行われたとして、次のステップＳ１７へ進む方向に処理を分岐する。
【００６０】
ステップＳ１７は、プレイリストへの波及処理が生じるか否かによる以後の処理の分岐を行う。すなわち、チャプタ境界の移動処理を施した対象のタイトルがオリジナルタイトル情報Ｔ１であり、かつこのチャプタ境界の移動処理によりセルの範囲が狭まるような場合には、プレイリストへの波及が生じるためプレイリストを書き換えるべきと判断する。その場合、次のステップＳ１８へ進む方向に処理を分岐する。それ以外の場合には、プレイリストへの波及処理は生じないものとし、以降の処理をスキップする方向に分岐して処理を終了とする。
【００６１】
ステップＳ１８は、オリジナルタイトル情報Ｔ１に対する処理に基づく、プレイリストへの波及処理を行う。この処理の詳細については、図９及び図１０のフローチャートを使用して後述することとする。
【００６２】
以上説明したステップＳ１１からステップＳ１８までの一連の処理が、本発明による編集動作の概要を示している。
【００６３】
（１フレーム単位のチャプタ境界の移動処理）
図５及び図６は、先に説明した図４のステップＳ１４における１フレーム単位のチャプタ境界の移動処理の内容を詳細に説明したフローチャートである。
【００６４】
まず、ステップＳ４０１で、移動の対象であるチャプタ境界を、１フレーム分移動した場合の位置情報を算出する。これは、実際にチャプタ境界を移動するときの更新情報に使用するほかに、このチャプタ境界移動処理が適切であるか否かの判定処理にも使用される。
【００６５】
続くステップＳ４０２からＳ４０９までが、チャプタ境界の移動処理が適切であるか否かの判定処理に相当する。以下、順を追って説明する。
ステップＳ４０２では、指定されたチャプタ境界の移動処理が、マーキング情報であるエントリーポイントの移動を伴うものであるか否かを判定している。エントリーポイントの移動を伴う場合、続くステップＳ４０３へ処理を分岐する。エントリーポイントの移動を伴わない場合は、ステップＳ４０３をスキップしてステップＳ４０４へ進む方向に処理を分岐する。
【００６６】
ステップＳ４０３は、エントリーポイントの移動の点において、このチャプタ境界の移動処理が適切であるか、それとも拒絶すべきものであるかを判定している。ここでは、拒絶条件として、例えば、以下のような項目を判定に使用する。これらは一例であり、映像情報処理装置の製品仕様として、適宜判定条件を追加してもよい。
・エントリーポイントはセルの範囲をオーバーするか？
・他のエントリーポイントと重なる、又は、追い越すか？
ステップＳ４０３でこのような拒絶条件に適合すると判定された場合には、ステップＳ４１５の方向へ分岐し、拒絶の内容のリターンコードを返して処理を終了する。拒絶条件に適合しない場合には、続くステップＳ４０４へ進む方向に処理を分岐する。
【００６７】
ステップＳ４０４では、指定されたチャプタ境界の移動処理が、セルの範囲の変更を伴うものであるか否かを判定している。セル範囲の変更を伴う場合、続くステップＳ４０５へ処理を分岐する。セル範囲の変更を伴わない場合は、ステップＳ４０５をスキップしてステップＳ４０６へ進む方向に処理を分岐する。
【００６８】
ステップＳ４０５は、セルの範囲の変更の点において、このチャプタ境界の移動処理が適切であるか、それとも拒絶すべきものであるかを判定している。ここでは、拒絶条件として、例えば、以下のような項目を判定に使用する。これらは一例であり、映像情報処理装置の製品仕様として、適宜判定条件を追加してもよい。
・セルの範囲が、ＶＯＢの範囲をはみ出すか？
・セルのサイズが“０”になるか？
・エントリーポイントを追い越すか？
ステップＳ４０５でこのような拒絶条件に適合すると判定された場合には、ステップＳ４１５の方向へ分岐し、拒絶の内容のリターンコードを返して処理を終了する。拒絶条件に適合しない場合には、続くステップＳ４０６へ進む方向に処理を分岐する。
【００６９】
ステップＳ４０６では、指定されたチャプタ境界の移動処理が、プレイリスト上のチャプタに対する処理であるか否かを判定している。プレイリスト上のチャプタに対する処理である場合、続くステップＳ４０７へ処理を分岐する。プレイリスト上のチャプタに対する処理ではない場合は、ステップＳ４０７をスキップしてステップＳ４０８へ進む方向に処理を分岐する。
【００７０】
ステップＳ４０７は、プレイリスト上のチャプタに対する処理という点において、このチャプタ境界の移動処理が適切であるか、それとも拒絶すべきものであるかを判定している。ここでは、拒絶条件として、例えば、以下のような項目を判定に使用する。これらは一例であり、映像情報処理装置の製品仕様として、適宜判定条件を追加してもよい。
・プレイリスト中のセルの範囲が、該セルが参照しているＶＯＢに対応しているオリジナルタイトル情報Ｔ１のセルの範囲を、オーバーするか？
ステップＳ４０７でこのような拒絶条件に適合すると判定された場合には、ステップＳ４１５の方向へ分岐し、拒絶の内容のリターンコードを返して処理を終了する。拒絶条件に適合しない場合には、続くステップＳ４０８へ進む方向に処理を分岐する。
【００７１】
ステップＳ４０８では、指定されたチャプタ境界の移動処理が、オリジナルタイトル情報Ｔ１上のチャプタに対する処理であるか否かを判定している。オリジナルタイトル情報Ｔ１上のチャプタに対する処理である場合、続くステップＳ４０９へ処理を分岐する。オリジナルタイトル情報Ｔ１上のチャプタ対する処理ではない場合は、ステップＳ４０９をスキップしてステップＳ４１０へ進む方向に処理を分岐する。
【００７２】
ステップＳ４０９は、オリジナルタイトル情報Ｔ１上のチャプタに対する処理という点において、このチャプタ境界の移動処理が適切であるか、それとも拒絶すべきものであるかを判定している。ここでは、拒絶条件として、例えば、以下のような項目を判定に使用する。これらは一例であり、映像情報処理装置の製品仕様として、適宜判定条件を追加してもよい。
【００７３】
・オリジナルタイトル情報Ｔ１中のセルの境界位置が、対応しているＶＯＢの境界位置から４×ＶＯＢＵ以内の範囲からはみ出すか？
ステップＳ４０９でこのような拒絶条件に適合すると判定された場合には、ステップＳ４１５の方向へ分岐し、拒絶の内容のリターンコードを返して処理を終了する。拒絶条件に適合しない場合には、続くステップＳ４１０へ進む方向に処理を分岐する。
【００７４】
以上述べたステップＳ４０２からステップＳ４０９までの、チャプタ境界の移動処理が適切であるか否かの判定処理の結果、拒絶条件に適合しなかった場合には、チャプタ境界の移動が可能であるということになる。これを受けて、ステップＳ４１０からステップＳ４１３までの処理により、チャプタ境界の移動処理を行う。以下、順を追って説明する。
【００７５】
ステップＳ４１０では、指定されたチャプタ境界の移動処理が、マーキング情報であるエントリーポイントの移動を伴うものであるか否かを判定している。エントリーポイントの移動を伴う場合、続くステップＳ４１１へ処理を分岐する。エントリーポイントの移動を伴わない場合は、ステップＳ４１１をスキップしてステップＳ４１２へ進む方向に処理を分岐する。
【００７６】
ステップＳ４１１では、先にステップＳ４０１で算出した、移動対象であるチャプタ境界を１フレーム分移動した場合の位置情報を使用し、エントリーポイントの位置を再設定する。これにより、エントリーポイントは元の位置から１フレーム分だけ移動する。このエントリーポイントの移動処理を行った後、続くステップＳ４１２へ進む。
【００７７】
ステップＳ４１２では、指定されたチャプタ境界の移動処理が、セルの範囲の変更を伴うものであるか否かを判定している。セル範囲の変更を伴う場合、続くステップＳ４１３へ処理を分岐する。セル範囲の変更を伴わない場合は、ステップＳ４１３をスキップしてステップＳ４１４へ進む方向に処理を分岐する。
【００７８】
ステップＳ４１３では、先にステップＳ４０１で算出した、移動対象であるチャプタ境界を１フレーム分移動した場合の位置情報を使用し、セルの境界位置を再設定する。これにより、セルの境界は元の位置から１フレーム分だけ移動する。このセル範囲の移動処理を行った後、続くステップＳ４１４へ進む。
【００７９】
上記ステップＳ４１０からステップＳ４１３までの処理により、チャプタ境界の移動処理が実施されるので、ステップＳ４１４で正常終了の内容のリターンコードを返して処理を終了する。
【００８０】
なお、先に述べたように、上記ステップＳ４０２からステップＳ４０９までの処理により、チャプタ境界の移動処理を拒絶すると判定された場合には、ステップＳ４１５で拒絶の内容のリターンコードを返して処理を終了する。
【００８１】
以上、図５及び図６のフローチャートを使用して、図４のフローチャートのステップＳ１４における１フレーム単位のチャプタ境界の移動処理の内容を説明した。ここで、上記のフローにおいて、チャプタ境界の移動処理が適切であるか否かの個々の判定処理の順序、ならびにチャプタ境界の個々の移動処理の順序は、必ずしもここに述べた順序通りである必要はない。すなわち、上記ステップＳ４０２からステップＳ４０９までの一連のチャプタ境界移動可否の判定条件は、図５及び図６のフローチャートに示すとおりの順序である必要はなく、本発明の主旨を逸脱しない範囲で、適切な順序で処理がなされればよい。同様に、上記ステップＳ４１０からステップＳ４１３までの一連のチャプタ境界移動処理は、図５及び図６のフローチャートに示すとおりの順序である必要はなく、本発明の主旨を逸脱しない範囲で、適切な順序で処理がなされればよい。
【００８２】
（ＶＯＢＵ境界位置へのチャプタ境界の移動処理）
次に、ＶＯＢＵ境界位置へのチャプタ境界の移動処理を説明する。図７及び図８は、先に説明した図４のフローチャートのステップＳ１５におけるＶＯＢＵ境界位置へのチャプタ境界の移動処理の内容を詳細に説明しているフローチャートである。
【００８３】
まず、ステップＳ５０１で、移動先のＶＯＢＵ境界の位置情報を取得する。これは、実際にチャプタ境界を移動するときの更新情報に使用するほかに、このチャプタ境界移動処理が適切であるか否かの判定処理にも使用される。
【００８４】
続くステップＳ５０２からＳ５０９までが、チャプタ境界の移動処理が適切であるか否かの判定処理に相当する。以下、順を追って説明する。
【００８５】
ステップＳ５０２では、指定されたチャプタ境界の移動処理が、マーキング情報であるエントリーポイントの移動を伴うものであるか否かを判定している。エントリーポイントの移動を伴う場合、続くステップＳ５０３へ処理を分岐する。エントリーポイントの移動を伴わない場合は、ステップＳ５０３をスキップしてステップＳ５０４へ進む方向に処理を分岐する。
【００８６】
ステップＳ５０３は、エントリーポイントの移動の点において、このチャプタ境界の移動処理が適切であるか、それとも拒絶すべきものであるかを判定している。ここでは、拒絶条件として、例えば、以下のような項目を判定に使用する。これらは一例であり、映像情報処理装置の製品仕様として、適宜判定条件を追加してもよい。
【００８７】
・エントリーポイントはセルの範囲をオーバーするか？
・他のエントリーポイントと重なる、又は、追い越すか？
ステップＳ５０３でこのような拒絶条件に適合すると判定された場合には、ステップＳ５１５の方向へ分岐し、拒絶の内容のリターンコードを返して処理を終了する。拒絶条件に適合しない場合には、続くステップＳ５０４へ進む方向に処理を分岐する。
【００８８】
ステップＳ５０４では、指定されたチャプタ境界の移動処理が、セルの範囲の変更を伴うものであるか否かを判定している。セル範囲の変更を伴う場合、続くステップＳ５０５へ処理を分岐する。セル範囲の変更を伴わない場合は、ステップＳ５０５をスキップしてステップＳ５０６へ進む方向に処理を分岐する。
【００８９】
ステップＳ５０５は、セルの範囲の変更の点において、このチャプタ境界の移動処理が適切であるか、それとも拒絶すべきものであるかを判定している。ここでは、拒絶条件として、例えば、以下のような項目を判定に使用する。これらは一例であり、映像情報処理装置の製品仕様として、適宜判定条件を追加してもよい。
【００９０】
・セルの範囲が、ＶＯＢの範囲をはみ出すか？
・セルのサイズが“０”になるか？
・エントリーポイントを追い越すか？
ステップＳ５０５でこのような拒絶条件に適合すると判定された場合には、ステップＳ５１５の方向へ分岐し、拒絶の内容のリターンコードを返して処理を終了する。拒絶条件に適合しない場合には、続くステップＳ５０６へ進む方向に処理を分岐する。
【００９１】
ステップＳ５０６では、指定されたチャプタ境界の移動処理が、プレイリスト上のチャプタに対する処理であるか否かを判定している。プレイリスト上のチャプタに対する処理である場合、続くステップＳ５０７へ処理を分岐する。プレイリスト上のチャプタに対する処理ではない場合は、ステップＳ５０７をスキップしてステップＳ５０８へ進む方向に処理を分岐する。
【００９２】
ステップＳ５０７は、プレイリスト上のチャプタに対する処理という点において、このチャプタ境界の移動処理が適切であるか、それとも拒絶すべきものであるかを判定している。ここでは、拒絶条件として、例えば、以下のような項目を判定に使用する。これらは一例であり、映像情報処理装置の製品仕様として、適宜判定条件を追加してもよい。
【００９３】
・プレイリスト中のセルの範囲が、該セルが参照しているＶＯＢに対応しているオリジナルタイトル情報Ｔ１のセルの範囲を、オーバーするか？
ステップＳ５０７でこのような拒絶条件に適合すると判定された場合には、ステップＳ５１５の方向へ分岐し、拒絶の内容のリターンコードを返して処理を終了する。拒絶条件に適合しない場合には、続くステップＳ５０８へ進む方向に処理を分岐する。
【００９４】
ステップＳ５０８では、指定されたチャプタ境界の移動処理が、オリジナルタイトル情報Ｔ１上のチャプタに対する処理であるか否かを判定している。オリジナルタイトル情報Ｔ１上のチャプタに対する処理である場合、続くステップＳ５０９へ処理を分岐する。オリジナルタイトル情報Ｔ１上のチャプタ対する処理ではない場合は、ステップＳ５０９をスキップしてステップＳ５１０へ進む方向に処理を分岐する。
【００９５】
ステップＳ５０９は、オリジナルタイトル情報Ｔ１上のチャプタに対する処理という点において、このチャプタ境界の移動処理が適切であるか、それとも拒絶すべきものであるかを判定している。ここでは、拒絶条件として、例えば、以下のような項目を判定に使用する。これらは一例であり、映像情報処理装置の製品仕様として、適宜判定条件を追加してもよい。
【００９６】
・オリジナルタイトル情報Ｔ１中のセルの境界位置が、対応しているＶＯＢの境界位置から４×ＶＯＢＵ以内の範囲からはみ出すか？
ステップＳ５０９でこのような拒絶条件に適合すると判定された場合には、ステップＳ５１５の方向へ分岐し、拒絶の内容のリターンコードを返して処理を終了する。拒絶条件に適合しない場合には、続くステップＳ５１０へ進む方向に処理を分岐する。
【００９７】
以上述べたステップＳ５０２からステップＳ５０９までの、チャプタ境界の移動処理が適切であるか否かの判定処理の結果、拒絶条件に適合しなかった場合には、チャプタ境界の移動が可能であるということになる。これを受けて、ステップＳ５１０からステップＳ５１３までの処理により、チャプタ境界の移動処理を行う。以下、順を追って説明する。
【００９８】
ステップＳ５１０では、指定されたチャプタ境界の移動処理が、マーキング情報であるエントリーポイントの移動を伴うものであるか否かを判定している。エントリーポイントの移動を伴う場合、続くステップＳ５１１へ処理を分岐する。エントリーポイントの移動を伴わない場合は、ステップＳ５１１をスキップしてステップＳ５１２へ進む方向に処理を分岐する。
【００９９】
ステップＳ５１１では、先にステップＳ５０１で取得した、移動先のＶＯＢＵ境界の位置情報を使用し、エントリーポイントの位置を再設定する。これにより、エントリーポイントは元の位置からＶＯＢＵの境界位置へと移動する。このエントリーポイントの移動処理を行った後、続くステップＳ５１２へ進む。
【０１００】
ステップＳ５１２では、指定されたチャプタ境界の移動処理が、セルの範囲の変更を伴うものであるか否かを判定している。セル範囲の変更を伴う場合、続くステップＳ５１３へ処理を分岐する。セル範囲の変更を伴わない場合は、ステップＳ５１３をスキップしてステップＳ５１４へ進む方向に処理を分岐する。
【０１０１】
ステップＳ５１３では、先にステップＳ５０１で取得した、移動先のＶＯＢＵ境界の位置情報を使用し、セルの境界位置を再設定する。これにより、セルの境界は元の位置からＶＯＢＵの境界位置へと移動する。このセル範囲の移動処理を行った後、続くステップＳ５１４へ進む。
【０１０２】
上記ステップＳ５１０からステップＳ５１３までの処理により、チャプタ境界の移動処理が実施されるので、ステップＳ５１４で正常終了の内容のリターンコードを返して処理を終了する。
【０１０３】
なお、先に述べたように、上記ステップＳ５０２からステップＳ５０９までの処理により、チャプタ境界の移動処理を拒絶すると判定された場合には、ステップＳ５１５で拒絶の内容のリターンコードを返して処理を終了する。
【０１０４】
以上、図７及び図８のフローチャートを使用して、図４のフローチャートのステップＳ１５におけるＶＯＢＵ境界位置へのチャプタ境界の移動処理の内容を説明した。ここで、上記のフローにおいて、チャプタ境界の移動処理が適切であるか否かの個々の判定処理の順序、ならびにチャプタ境界の個々の移動処理の順序は、必ずしもここに述べた順序通りである必要はない。すなわち、上記ステップＳ５０２からステップＳ５０９までの一連のチャプタ境界移動可否の判定条件は、図７及び図８のフローチャートに示すとおりの順序である必要はなく、本発明の主旨を逸脱しない範囲で、適切な順序で処理がなされればよい。同様に、上記ステップＳ５１０からステップＳ５１３までの一連のチャプタ境界移動処理は、図７及び図８のフローチャートに示すとおりの順序である必要はなく、本発明の主旨を逸脱しない範囲で、適切な順序で処理がなされればよい。
【０１０５】
（プレイリストへの波及処理）
図９及び図１０は、先に説明した図４のステップＳ１８における、オリジナルタイトル処理に基づくプレイリストへの波及処理の内容を詳細に説明したフローチャートである。先に述べたように、図４のステップＳ１８の処理は、オリジナルタイトル情報Ｔ１上のチャプタに対するチャプタ境界の移動処理により、セルの範囲が狭まる場合に実行される。
【０１０６】
まず、ステップＳ６０１で、このチャプタ境界移動処理により、オリジナルタイトル情報Ｔ１中で範囲が狭まるセルを特定する。
【０１０７】
続くステップＳ６０２以降の処理は、処理対象であるオリジナルタイトル情報Ｔ１と同一のメディア上に存在するすべてのプレイリストに対して実施されることになる。そのため、ステップＳ６０２では、処理対象となるプレイリストの初期値を設定する。
【０１０８】
ステップＳ６０３では、そのプレイリスト中でのセルの初期値を設定する。
【０１０９】
次に、ステップＳ６０４で、先にステップＳ６０１で特定したオリジナルタイトル情報Ｔ１のセルと、プレイリストのセルとについて、それぞれが参照しているＶＯＢを検索する。
【０１１０】
ステップＳ６０５では、上記オリジナルタイトル情報Ｔ１のセルと上記プレイリストのセルとが、同じＶＯＢを参照しているか否かを判定する。同じＶＯＢを参照している場合、ステップＳ６０６へ進む方向に処理を分岐する。一方、これらのセルが同じＶＯＢを参照していない場合には、プレイリストのセルに対する処理は不要となるため、ステップＳ６０６からステップＳ６０８までの処理をスキップする方向に処理を分岐する。
【０１１１】
ステップＳ６０６では、上記オリジナルタイトル情報Ｔ１のセルと同じＶＯＢを参照しているプレイリストセルに対し、セル範囲の再設定を行う。すなわち、プレイリストのセルの範囲を、同一ＶＯＢを参照しているオリジナルタイトル情報Ｔ１のセルの範囲以下となるように変更する。
【０１１２】
ステップＳ６０７では、範囲を再設定したプレイリストのセルに対し、セルサイズがゼロになったか否かの判定を行っている。これは、プレイリストはオリジナルタイトル情報Ｔ１のＶＯＢの中の任意の範囲を参照できるので、オリジナルタイトル情報Ｔ１のセルは有意なサイズを保持していたとしても、プレイリストのセルが消失することがあるためである。ここで、セルの範囲の再設定によりプレイリストのセルがゼロになる場合には、ステップＳ６０８へ進む方向に分岐する。セルの範囲を再設定してもプレイリストのセルサイズがゼロにならない場合は、ステップＳ６０８をスキップする方向に分岐する。
【０１１３】
ステップＳ６０８では、サイズがゼロになってしまったプレイリストのセルを削除する処理を行う。
【０１１４】
上記ステップＳ６０６からステップＳ６０８までの一連の処理が実施されるか否かによらず、ステップＳ６０９に到達する。ステップＳ６０９では、ここまで処理対象としてきたプレイリストのセルが、そのプレイリストの中における最後のセルであるか否かを判定する。最後のセルではない場合は、ステップＳ６１０に進む方向に分岐する。最後のセルである場合には、ステップＳ６１１へ進む。
【０１１５】
ステップＳ６１０は、上記ステップＳ６０９において、これまで処理対象としてきたセルが、プレイリスト内の最後のセルではない場合に到達する処理である。この場合、ステップＳ６１０においてプレイリスト内のセルをインクリメントし、プレイリスト内の新たなセルに対し、上記ステップＳ６０４からステップＳ６０９までの一連の処理を実施する。
【０１１６】
一方、上記ステップＳ６０９において、これまで処理対象としてきたセルがプレイリスト内の最後のセルである場合には、ステップＳ６１１へ到達する。ステップＳ６１１では、これまで処理対象としてきたプレイリストにセルが含まれているか否か、つまりプレイリストが空であるか否かを判定している。これは、上記ステップＳ６０８でサイズがゼロになったセルの削除を行っていることによるもので、最悪のケースでは、プレイリスト内のすべてのセルが皆同じＶＯＢを参照しており、又、該ＶＯＢを参照しているオリジナルタイトル情報Ｔ１のセルの範囲が狭まり、それによりプレイリスト内のすべてのセルが消失するような結果になるということがありえる。ここで、これまで処理対象としてきたプレイリストが、ステップＳ６１１までの一連の処理により空になってしまった場合には、ステップＳ６１２へ進む方向に分岐する。一方、処理対象としてきたプレイリストが空にはならない場合には、ステップＳ６１２をスキップする方向へ処理を分岐する。
【０１１７】
ステップＳ６１２では、空になってしまったプレイリストを削除する処理を行う。
【０１１８】
続くステップＳ６１３では、これまで処理対象としてきたプレイリストが、このメディア上に存在する最後のプレイリストであるか否かの判定を行う。最後のプレイリストではない場合は、ステップＳ６１４へ進む方向に処理を分岐する。最後のプレイリストである場合は、ステップＳ６１４を行わない方向に処理を分岐する。
【０１１９】
ステップＳ６１４は、上記ステップＳ６１３において、これまで処理対象としてきたプレイリストが、このメディアにおける最後のプレイリストではない場合に到達する処理である。この場合、ステップＳ６１４においてメディア内のプレイリストをインクリメントし、新たなプレイリストに対し、上記ステップＳ６０３からステップＳ６１３までの一連の処理を実施する。
【０１２０】
一方、上記ステップＳ６１３において、これまで処理対象としてきたプレイリストがこのメディア上の最後のプレイリストである場合には、ステップＳ６１４へ進まない方向に処理を分岐し、一連のプレイリストへの波及処理を終了する。
【０１２１】
＜本発明に係る映像情報処理装置の編集動作による再生順序情報の変化＞
次に、図１１乃至図２２を用いて、本発明の編集処理による再生順序情報の変化の様子を説明する。
【０１２２】
図１１は、あるプレイリスト（PlayList ＃ｎ）における再生順序情報（この場合はユーザデファインドＰＧＣＩ）の一例である。このプレイリストＰｎには、ＤＶＤ−ＶＲ規格におけるセルが２つ含まれているとし、個々のセルはそれぞれＶＯＢ１とＶＯＢ２とを参照しているものとする。又、セル１の中間とセル２の前方境界位置とに、それぞれＤＶＤ−ＶＲ規格のエントリーポイントＥＰがセットされているとする。ここで、あるエントリーポイントＥＰから次のエントリーポイントＥＰの直前までの範囲を持つ部分領域をチャプタとし、エントリーポイントＥＰがセットされている位置をチャプタ境界ＣＢとする。ただし、タイトルの先頭位置については、エントリーポイントＥＰの有無によらずチャプタ境界ＣＢとみなす。
【０１２３】
以下、図１２以降を使用し、上述した部分領域であるチャプタの開始位置、又は、終了位置の再設定、すなわちチャプタ境界ＣＢの移動の様子を説明する。
【０１２４】
図１２は、チャプタ１の後方境界の近傍を拡大した図である。ここでは、チャプタ１の後方境界にはセルの境界は存在せず、エントリーポイントＥＰのみが存在している。この例では、チャプタ１の後方境界は、あるＶＯＢＵ内のフレーム＃Ｎの位置に存在している。
【０１２５】
図１３は、このチャプタ１の後方境界を、後方に１フレーム分移動させた場合を示している。ここでは、エントリーポイントＥＰの位置が、後方に１フレーム分移動し、これによりチャプタ１の後方境界が、１フレーム分後方のフレーム＃Ｎ＋１の位置であるムーブドチャプタボーダＭＣＢに移動している。
【０１２６】
図１４は、チャプタ１の後方境界を、前方の直近のＶＯＢＵ境界位置ＭＣＢに移動させた場合を示している。ここでは、エントリーポイントＥＰの位置がＶＯＢＵの前方の境界位置に移動し、これにより、チャプタ１の後方境界が、ＶＯＢＵの境界位置に移動している。
【０１２７】
なお、図１２から図１４までの例のように、チャプタの境界位置にセルの境界が存在せず、エントリーポイントＥＰのみが存在するケースでは、あるチャプタのチャプタ境界ＣＢの移動は、同一チャプタ境界ＣＢで接している隣接チャプタのチャプタ境界ＣＢの移動と等価になる。この例では、チャプタ１の後方境界の移動は、チャプタ２の前方境界の移動と等価である。
【０１２８】
このように、タイトル内の部分領域であるチャプタの範囲の定義を変更することにより、再生される映像及び音声の範囲を変更することができる。
【０１２９】
図１５は、チャプタ１の前方境界の近傍を拡大した図である。ここでは、チャプタ１の前方境界にはエントリーポイントＥＰが存在せず、セルの境界のみが存在している。この例では、チャプタ１の前方境界は、ＶＯＢ１の最初のＶＯＢＵ内のフレーム＃Ｎの位置に存在している。
【０１３０】
図１６は、このチャプタ１の前方境界を、後方に１フレーム分移動させた場合を示している。ここでは、セル１の前方境界が後方に１フレーム分移動し、これによりチャプタ１の前方境界が、１フレーム分後方のフレーム＃Ｎ＋１の位置であるムーブドチャプタボーダＭＣＢへと移動している。
【０１３１】
図１７は、チャプタ１の前方境界を、後方の直近のＶＯＢＵ境界に移動させた場合を示している。ここでは、セル１の前方境界がＶＯＢＵの後方の境界位置に移動し、これにより、チャプタ１の前方境界が、ＶＯＢＵの境界位置であるムーブドチャプタボーダＭＣＢへと移動している。
【０１３２】
このように、チャプタ境界ＣＢの移動として、実映像データ８０に対する参照情報９４−１〜ｎ又は９５−１〜ｎ又は９６−１〜ｎであるセルの範囲を変更することにより、再生される映像及び音声の範囲を変更することができる。つまり、タイトル内の部分領域であるチャプタが、映像の頭切れや尻切れを生じていたり、又はチャプタの先頭や終端に余計な画面が含まれていたとしても、ここで説明した本発明の移動処理により、チャプタ境界ＣＢを簡便にトリミングすることが可能となる。
【０１３３】
なお、ここではプレイリストを例に挙げているが、仮にこのタイトルがオリジナルタイトル情報Ｔ１である場合には、ＤＶＤ−ＶＲ規格の制約により、セル１の前方境界はＶＯＢの先頭から４×ＶＯＢＵの範囲内に存在しなくてはならない。そのため、この４×ＶＯＢＵの範囲を逸脱するようなチャプタ境界ＣＢの移動は拒絶されなくてはならない。又、チャプタ３の前方境界に一致しているセル２の前方境界についても、同様の制約が適用される（ＶＯＢ２の先頭から４×ＶＯＢＵ以内であること）。
【０１３４】
図１８は、チャプタ３の前方境界の近傍を拡大した図である。ここでは、チャプタ３の前方境界には、セルの境界とエントリーポイントＥＰの双方が存在している。この例では、チャプタ３の前方境界は、ＶＯＢ２の最初のＶＯＢＵ内のフレーム＃Ｎの位置に存在している。
【０１３５】
図１９は、このチャプタ３の前方境界を、前方に１フレーム移動させた場合を示している。ここでは、セル２の前方境界と、そのセル２の前方境界位置にセットされているエントリーポイントＥＰの双方が、ともに前方に１フレーム分移動している。これにより、チャプタ３の前方境界が、１フレーム分前方のフレーム＃Ｎ−１の位置であるムーブドチャプタボーダＭＣＢへと移動している。
【０１３６】
図２０は、チャプタ３の前方境界を、前方の直近のＶＯＢＵ境界に移動させた場合を示している。ここでは、セル２の前方境界と、そのセル２の前方境界位置にセットされているエントリーポイントＥＰの双方が、ともにＶＯＢＵの前方の境界位置に移動し、これにより、チャプタ３の前方境界が、ＶＯＢＵの境界位置であるムーブドチャプタボーダＭＣＢへと移動している。
【０１３７】
なお、このようにチャプタ境界ＣＢにセルの境界が存在するケースでは、エントリーポイントＥＰの有無は問わず、あるチャプタのチャプタ境界ＣＢの移動は、隣接チャプタのチャプタ境界ＣＢの移動とは等価にならない。これは、ユーザ側からは同一のチャプタ境界ＣＢで接しているように見えても、再生順序情報（ＰＧＩ、又は、ＰＧＣＩ）の上でのセルの境界が別物であるためである。この例では、チャプタ３の前方境界は図１８から図２０までに示すように移動しているが、ユーザ側からは接しているように見えるチャプタ２の後方境界は不変である。この例では、チャプタ２の後方境界はセル１の後方境界と一致するが、図１８から図２０までを通し、チャプタ２の後方境界ＣＢは、ＶＯＢ１の最終ＶＯＢＵ上のフレーム＃Ｍの位置を保持し続けている。
【０１３８】
図２１は、そのチャプタ２の後方境界を、後方に１フレーム分移動させた場合を示している。ここでは、セル１の後方境界が、後方に１フレーム分移動している。これにより、チャプタ２の後方境界が、１フレーム分後方のフレーム＃Ｍ＋１の位置であるムーブドチャプタボーダＭＣＢへと移動している。
【０１３９】
図２２は、チャプタ２の後方境界を、後方の直近のＶＯＢＵ境界に移動させた場合を示している。ここでは、セル１の後方境界がＶＯＢＵの後方境界に移動し、これにより、チャプタ２の後方境界が、ＶＯＢＵの境界位置であるムーブドチャプタボーダＭＣＢへと移動している。
【０１４０】
なお、ここでは、図１８及び図２１、図２２を通し、チャプタ３の前方境界ＣＢは、ＶＯＢ２の最初のＶＯＢＵ上のフレーム＃Ｎの位置を保持し続けており、不変である。
【０１４１】
このように、チャプタ境界ＣＢの移動として、実映像データ８０に対する参照情報９４−１〜ｎ又は９５−１〜ｎ又は９６−１〜ｎであるセルの範囲を変更することにより、再生される映像及び音声の範囲を変更することができる。つまり、タイトル内の部分領域であるチャプタが、映像の頭切れや尻切れを生じていたり、又はチャプタの先頭や終端に余計な画面が含まれていたとしても、ここで説明した本発明の編集処理により、チャプタ境界ＣＢを簡便にトリミングすることが可能となる。
【０１４２】
又、ここではプレイリストを例に挙げているが、仮にこのタイトルがオリジナルタイトル情報Ｔ１である場合には、ＤＶＤ−ＶＲ規格の制約により、セル１の後方境界はＶＯＢ１の末尾から４×ＶＯＢＵの範囲内に存在しなくてはならない。そのため、この４×ＶＯＢＵの範囲を逸脱するようなチャプタ境界ＣＢの移動は拒絶されなくてはならない。又、チャプタ３の後方境界に一致しているセル２の後方境界についても、同様の制約が適用される（ＶＯＢ２の末尾から４×ＶＯＢＵ以内であること）。
【０１４３】
＜本発明に係る映像情報処理装置の編集処理の操作方法＞
次に、図２３乃至図４０を用いて、本発明に係る映像情報処理装置における部分領域の開始位置、又は、終了位置の再設定の操作方法の具体例を説明する。なお、以下の説明においては、本発明の映像情報処理装置は、先に図４以降の図面を使用して本発明の動作説明を行った際に記したものと同じ構成を例に説明を進める。つまり、上述した部分領域の開始位置、又は、終了位置の再設定とは、ここではチャプタ境界ＣＢの移動に相当する。
【０１４４】
まず、図２３乃至図２７の図面を用いて、チャプタ作成画面におけるチャプタ境界ＣＢの移動操作について説明する。
【０１４５】
図２３は、本発明に係る映像情報処理装置における、チャプタ作成のための操作画面を表している。この操作画面は、あるタイトルの中の任意の範囲をチャプタとして設定するのに使用する。図２３の上段には、再生画面を表示するためのウィンドウ１０１が設けられている。ユーザは、この画面で再生画像をモニタしながら再生操作を行い、位置を決定してチャプタ境界ＣＢを設定する。図２３中段のバーは、対象タイトルの中でチャプタ境界ＣＢが設定されている大体の位置を示している。バーの中に立つ縦線が、チャプタ境界ＣＢのおおよその位置を示している。又、図２３の下段には、タイトル内に設定した個々のチャプタの代表画面がサムネイル１０２−１〜ｎとして表示されている。
【０１４６】
ここでは、例として、チャプタ２のチャプタ境界ＣＢを移動する場合を説明する。
【０１４７】
まず、図２４で、例えば、リモコンの操作などによりチャプタ２のサムネイル１０２−２にフォーカスを当て、チャプタ２を処理対象として確定する。
【０１４８】
次に図２５で、リモコンの操作などによりメニュー画面１０３を開く。このとき、この状況で使用可能なメニューコマンドとして、チャプタ境界ＣＢのフレーム単位シフトと、チャプタ境界ＣＢのＧＯＰ境界へのシフトが選択可能となっている。なお、この例では、ＶＯＢＵ境界シフトではなくＧＯＰ境界シフトというコマンド名としている。これは、ＤＶＤ−ＶＲ規格の規定により、少なくとも１つ以上のＧＯＰが束ねられてＶＯＢＵに納められており、ＶＯＢＵの境界はＧＯＰの境界と一致しているため、ＶＯＢＵ境界はＧＯＰ境界と一致していることと、近年、ＧＯＰという名前が比較的ユーザに知られていることから、ここではＧＯＰ境界という名称を使用している。
【０１４９】
図２６は、リモコン操作などにより、チャプタ境界ＣＢのフレーム単位シフトを選択した場合を表している。これを受けて、チャプタの前方境界／後方境界の別と、前後いずれへの移動であるかを選択するためのサブメニュー画面１０４が表示される。
【０１５０】
図２７は、リモコン操作などにより、後方境界の前方への１フレーム移動を選択した場合を表している。これにより、チャプタ２の後方チャプタ境界ＣＢに対し、１フレーム分前方にシフトする処理が実施される。
【０１５１】
なお、図には示していないが、チャプタ境界ＣＢのシフトが終了した後、そのチャプタ境界ＣＢの近傍を自動的に再生して、チャプタ境界ＣＢをシフトさせた結果を確認できるようなプレビュー機能を備えてもよい。
【０１５２】
次に、図２８から図３４までを使用して、チャプタ一覧表示画面におけるチャプタ境界ＣＢの移動操作について説明する。
【０１５３】
図２８は、本発明に係る映像情報処理装置における、ＨＤＤ又はＤＶＤの中に記録されているタイトルの一覧を表示している画面である。録画されているタイトルの代表画面であるサムネイル１０５−１，１０５−２と、タイトル名やタイトルの種別、タイトルの長さなどが表示されている。
【０１５４】
ここでは、例として、タイトル３に含まれるチャプタに対して、チャプタ境界ＣＢの移動を行う場合を説明する。
【０１５５】
この画面はタイトルの一覧表示であるため、これをチャプタの一覧表示に切り替える必要がある。図２９では、タイトル３のサムネイル１０５−２にフォーカスを当てて、このタイトルに含まれるチャプタの一覧を表示しようとしている。
【０１５６】
図３０は、リモコン操作などにより切り換わった、上記タイトル３に含まれるチャプタのサムネイルの一覧表示している画面である。タイトルに含まれる個々のチャプタの代表画面である３つのチャプタのサムネイル１０６−１，１０６−２，１０６−３と、チャプタ名又はチャプタの番号が表示されている。
【０１５７】
ここでは、例として、チャプタ２に対してチャプタ境界の移動処理を行うものとする。
【０１５８】
図３１では、対象となるチャプタ２のサムネイル１０６−２にフォーカスを当てて処理対象を確定し、又、リモコン操作などによりメニュー画面１０７を開いている。このとき、この状況で使用可能なメニューコマンドとして、チャプタ境界のフレーム単位シフトと、チャプタ境界のＧＯＰ境界へのシフトが選択可能となっている。
【０１５９】
図３２は、リモコン操作などにより、チャプタ境界のＧＯＰ境界位置への移動を選択した場合を表している。
【０１６０】
これを受けて、図３３では、チャプタの前方境界／後方境界の別と、前後いずれへの移動であるかを選択するためのサブメニュー画面１０８が表示されている。
【０１６１】
図３４は、リモコン操作などにより、後方境界の後方ＧＯＰ境界への移動を選択した場合を表している。これにより、チャプタ２の後方チャプタ境界に対し、後方のＧＯＰ境界へ移動する処理が実施される。
【０１６２】
なお、図には示していないが、チャプタ境界のシフトが終了した後、そのチャプタ境界の近傍を自動的に再生して、チャプタ境界をシフトさせた結果を確認できるようなプレビュー機能を備えてもよい。
【０１６３】
（プレイリスト作成画面による操作）
続いて、図３５から図４０までを使用して、プレイリスト作成画面におけるチャプタ境界の移動操作について説明する。
【０１６４】
図３５は、本発明に係る映像情報処理装置における、プレイリストの作成画面を表している。この操作画面は、タイトル、又は、チャプタをパーツとして登録することにより、プレイリストを構成するのに使用する。図３５の上段には、パーツとしてプレイリストに登録が可能なタイトル又はチャプタのサムネイル１０９−１，１０９−２の一覧が表示されている。又、図３５の下段には、作成しているプレイリストにパーツとして登録されたタイトル又はチャプタのサムネイル１１０−１，１１０−２が表示されている。
【０１６５】
ここで、下段に表示されているサムネイル１１０−１，１１０−２は、作成しているプレイリストにパーツとして登録されているものの代表画面である。従って、元々チャプタであった場合と、元はタイトルであった場合とがある。元はタイトルであった場合、その中に複数個のチャプタが含まれるケースがあり得るが、こういったケースでは、何らかの形でチャプタを特定させる仕組みが必要になる。例えば、リモコン操作などにより、元がタイトルであったパーツの中に含まれている、すべてのチャプタのサムネイルを下段に表示させるような機能を別途用意してもよい。又、例えば、元がタイトルであったパーツ自体の前方境界又は後方境界の移動処理を行う形としてもよい。この場合は、内部的には、元がタイトルであったひとかたまりのパーツに含まれる最初のチャプタの前方境界と、該パーツに含まれる最後のチャプタの後方境界に対してチャプタ境界の移動処理を施すことになる。又、例えば、元がタイトルであったパーツは、プレイリストに登録する際にバラけて複数個のチャプタがプレイリストに登録される形としてもよい。ここに例示したもの以外にも様々な仕組みをとりえるが、いずれにせよ、本発明の主旨に沿ったもので、何らかの形でチャプタを選択できる仕組みであればよい。
【０１６６】
ここでは、例として、下段に表示されるパーツ２が元はチャプタであったとし、その元がチャプタであったパーツ２のチャプタ境界を移動する場合を説明する。
【０１６７】
まず、図３６で、例えば、リモコンの操作などにより、元がチャプタであったパーツ２のサムネイル１１０−２にフォーカスを当て、これを処理対象として確定する。
【０１６８】
次に図３７で、リモコンの操作などによりメニュー画面１１１を開く。このとき、この状況で使用可能なメニューコマンドとして、チャプタ境界のフレーム単位シフトと、チャプタ境界のＧＯＰ境界へのシフトが選択可能となっている。
【０１６９】
図３８は、リモコン操作などにより、チャプタ境界のフレーム単位シフトを選択した場合を表している。
【０１７０】
これを受けて、図３９では、チャプタの前方境界／後方境界の別と、前後いずれへの移動であるかを選択するためのサブメニュー画面１１２が表示されている。
【０１７１】
図４０は、リモコン操作などにより、前方境界の後方への１フレーム移動を選択した場合を表している。これにより、元がチャプタであったパーツ２の前方チャプタ境界に対し、１フレーム分後方にシフトする処理が実施される。
【０１７２】
なお、図には示していないが、チャプタ境界のシフトが終了した後、そのチャプタ境界の近傍を自動的に再生して、チャプタ境界をシフトさせた結果を確認できるようなプレビュー機能を備えてもよい。
【０１７３】
以上、図を使用して説明したように、本発明の処理により、タイトル内の部分領域の境界位置をワンタッチで再設定する機能を有する映像情報処理装置を提供することができる。この機能は、プレイリスト編集において、これからプレイリストに登録する部分領域をタイトル内で設定する際にその境界位置を簡便に再設定するのに使用できるだけでなく、既にプレイリストに登録してしまった後でも、タイトル内の部分領域の境界位置を再設定するのにも使用できる。そのため、映像や音声の頭切れや尻切れを生じていたり、又は、その部分領域の先頭や終端に余計な画面が含まれている場合のトリミングが容易に実現でき、ユーザの使い勝手を向上させることができる。
【０１７４】
なお、本発明に係る映像情報処理装置は、上述した実施形態の形式にとらわれるものではなく、本発明の主旨を逸脱しない範囲で任意の構成を取り得ることは言うまでもない。
【０１７５】
例えば、本発明に係る部分領域であるチャプタの開始終了位置の再設定は、オリジナルタイトルとこれに含まれる部分領域であるチャプタが決定した後に、行うことができるものであり、更に、編集のための上記の第２タイトルの編集の際に行うことができ、更に、編集のための上記の第３タイトルの編集の際、更にそれ以外の編集の際等、様々な状況で行うことが同等の趣旨により可能となるものである。
【０１７６】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【０１７７】
【発明の効果】
以上詳述したように本発明によれば、部分領域であるチャプタの開始・終了位置を非常に容易に再設定することができるので、特に編集処理において、容易に高品位な編集映像を得ることができる映像情報処理装置及び映像情報処理方法を提供することができる。
【図面の簡単な説明】
【図１】本発明に係る映像情報処理装置の一例を示すブロック図。
【図２】本発明に係る映像情報処理装置の管理情報と実映像データとの関係を示す概略図。
【図３】本発明に係る映像情報処理装置の管理情報と実映像データとの関係を示す概略図。
【図４】本発明に係る映像情報処理装置の処理動作の全体の処理を示すフローチャート。
【図５】図４のフローチャートのステップＳ１４における、１フレーム単位のチャプタ境界の移動処理の内容を詳細に示すフローチャート。
【図６】同様のフローチャート。
【図７】図４のフローチャートのステップＳ１５における、ＶＯＢＵ境界位置へのチャプタ境界の移動処理の内容を詳細に示すフローチャート。
【図８】同様のフローチャート。
【図９】図４のフローチャートのステップＳ１８における、オリジナルタイトル処理に基づくプレイリストへの波及処理を詳細に示すフローチャート。
【図１０】同様のフローチャート。
【図１１】あるタイトルの再生順序情報の一例を示す図。
【図１２】図１１で例示したタイトルにおける部分領域の、境界位置の再設定の様子を説明する連続図の一部の図。
【図１３】図１１で例示したタイトルにおける部分領域の、境界位置の再設定の様子を説明する連続図の一部の図。
【図１４】図１１で例示したタイトルにおける部分領域の、境界位置の再設定の様子を説明する連続図の一部の図。
【図１５】図１１で例示したタイトルにおける部分領域の、境界位置の再設定の様子を説明する連続図の一部の図。
【図１６】図１１で例示したタイトルにおける部分領域の、境界位置の再設定の様子を説明する連続図の一部の図。
【図１７】図１１で例示したタイトルにおける部分領域の、境界位置の再設定の様子を説明する連続図の一部の図。
【図１８】図１１で例示したタイトルにおける部分領域の、境界位置の再設定の様子を説明する連続図の一部の図。
【図１９】図１１で例示したタイトルにおける部分領域の、境界位置の再設定の様子を説明する連続図の一部の図。
【図２０】図１１で例示したタイトルにおける部分領域の、境界位置の再設定の様子を説明する連続図の一部の図。
【図２１】図１１で例示したタイトルにおける部分領域の、境界位置の再設定の様子を説明する連続図の一部の図。
【図２２】図１１例示したタイトルにおける部分領域の、境界位置の再設定の様子を説明する連続図の一部の図。
【図２３】本発明に係る映像情報処理装置における、チャプタ作成画面を表す図。
【図２４】図２３のチャプタ作成画面におけるチャプタ境界の移動操作について説明する連続図の一部の図。
【図２５】図２３のチャプタ作成画面におけるチャプタ境界の移動操作について説明する連続図の一部の図。
【図２６】図２３のチャプタ作成画面におけるチャプタ境界の移動操作について説明する連続図の一部の図。
【図２７】図２３のチャプタ作成画面におけるチャプタ境界の移動操作について説明する連続図の一部の図。
【図２８】本発明に係る映像情報処理装置における、タイトルの一覧画面を示す図。
【図２９】図２８のタイトルの一覧画面で、チャプタの一覧を表示するために特定タイトルの選択を示す図。
【図３０】図２９で選択したタイトルに含まれるチャプタの一覧画面の図。
【図３１】図３０のチャプタの一覧画面におけるチャプタ境界の移動操作を説明する連続図の一部の図。
【図３２】図３０のチャプタの一覧画面におけるチャプタ境界の移動操作を説明する連続図の一部の図。
【図３３】図３０のチャプタの一覧画面におけるチャプタ境界の移動操作を説明する連続図の一部の図。
【図３４】図３０のチャプタの一覧画面におけるチャプタ境界の移動操作を説明する連続図の一部の図。
【図３５】本発明に係る映像情報処理装置における、プレイリスト作成画面を示す図。
【図３６】図３５のプレイリスト作成画面におけるチャプタ境界の移動操作を説明する連続図の一部の図。
【図３７】図３５のプレイリスト作成画面におけるチャプタ境界の移動操作を説明する連続図の一部の図。
【図３８】図３５のプレイリスト作成画面におけるチャプタ境界の移動操作を説明する連続図の一部の図。
【図３９】図３５のプレイリスト作成画面におけるチャプタ境界の移動操作を説明する連続図の一部の図。
【図４０】図３５のプレイリスト作成画面におけるチャプタ境界の移動操作を説明する連続図の一部の図。
【符号の説明】
３０…マイクロコンピュータブロック、３１…ワークＲＡＭ、３３…ディレクトリ検知部、３４…チャプタ開始・終了位置の再設定部を含む編集時の管理情報制御部、３５…録画時の管理情報制御部、５０…エンコーダ部、６０…デコーダ部。
【図１】
2004208172.tif 000003
【図２】
2004208172.tif 000004
【図３】
2004208172.tif 000005
【図４】
2004208172.tif 000006
【図５】
2004208172.tif 000007
【図６】
2004208172.tif 000008
【図７】
2004208172.tif 000009
【図８】
2004208172.tif 000010
【図９】
2004208172.tif 000011
【図１０】
2004208172.tif 000012
【図１１】
2004208172.tif 000013
【図１２】
2004208172.tif 000014
【図１３】
2004208172.tif 000015
【図１４】
2004208172.tif 000016
【図１５】
2004208172.tif 000017
【図１６】
2004208172.tif 000018
【図１７】
2004208172.tif 000019
【図１８】
2004208172.tif 000020
【図１９】
2004208172.tif 000021
【図２０】
2004208172.tif 000022
【図２１】
2004208172.tif 000023
【図２２】
2004208172.tif 000024
【図２３】
2004208172.tif 000025
【図２４】
2004208172.tif 000026
【図２５】
2004208172.tif 000027
【図２６】
2004208172.tif 000028
【図２７】
2004208172.tif 000029
【図２８】
2004208172.tif 000030
【図２９】
2004208172.tif 000031
【図３０】
2004208172.tif 000032
【図３１】
2004208172.tif 000033
【図３２】
2004208172.tif 000034
【図３３】
2004208172.tif 000035
【図３４】
2004208172.tif 000036
【図３５】
2004208172.tif 000037
【図３６】
2004208172.tif 000038
【図３７】
2004208172.tif 000039
【図３８】
2004208172.tif 000040
【図３９】
2004208172.tif 000041
【図４０】
2004208172.tif 000042